(57)【特許請求の範囲】
【請求項１】
トリック再生モードを有する記録および再生装置であって、
ａ）通常再生モードを開始する手段と、
ｂ）Ｉフレーム間に発生するコントロール・トラック・パルスの平均数を求める手段と、
ｃ）トリック再生モードを選択する手段と、
ｄ）コントロール・トラック・パルスを計数する手段と、
ｅ）前記平均数と等しいかどうか計数されたコントロール・トラック・パルスの計数値をテストする手段と、
ｆ）計数値が等しいときに前記通常再生モードを開始する手段と、
を含む、記録および再生装置。
【請求項２】
前記手段ｂ）は、さらに、再生されたＩフレーム・インジケータに応答して、平均数を求める処理を制御する手段を含むものである、請求項１に記載の記録および再生装置。
【請求項３】
前記手段ｄ）は、さらに、再生されたＩフレーム・インジケータに応答して計数を制御する手段を含むものである、請求項１に記載の記録および再生装置。
【発明の詳細な説明】
産業上の利用分野
本発明は、ディジタル・ビデオ記録の分野に関し、特に、通常速度以外の速度での再生に関する。
発明の背景
ディジタル・ビデオ信号は、低減されたビットレートを有するビットストリームを形成するように処理することができる。そのようなビットレートの低減を行うためのビデオ信号処理は、ＭＰＥＧの圧縮方法に従って実行することができ、さらに、例えばＤＳＳTM（トレードマーク、登録商標）等のディジタル衛星システムにおいて使用されているようなまたは提案されたグランド・アライアンス（Grand Alliance）即ちＧＡの地上波システムにおいて採用されているような構成を持った形式にフォーマット化することができる。
消費者向けビデオ記録装置は、例えばＭＰＥＧ標準とのコンパチビリティ（適合性、両立性）を有するように処理され、また例えばＧＡまたはＤＳＳTM信号フォーマットを有するアナログ信号とディジタル符号化信号の双方に対して、その信号を記録する機能を有するように適合化されている。この適合化された消費者向けビデオ記録装置は、記録機構、サーボおよび制御（コントロール）の諸システムを共有する１つの筐体に収容された２つの電子システムと見なすことができる。アナログ記録では、アナログ・ルミナンス（輝度）信号コンポーネント（成分）でＲＦキャリア（搬送波）を周波数変調し、アナログ・クロミナンス（色）信号コンポーネント（成分）で第２のＲＦキャリアを振幅変調する、通常のアナログ記録方法を使用することができる。この２つの変調済み信号は、再生するときに、復調され、合成され（組合わされ）、ビデオ表示を行うように結合される。
ディジタル記録は、消費者向けビデオ記録装置をディジタル・ビットストリーム記録／再生装置（記録装置／再生装置）として使用することによって実現できる。例えば、トランスポート・パケットのようなＭＰＥＧコンパチブルのビットストリームは、記録および再生を容易にするために、そのビットストリームを再フォーマット化し処理して記録することができる。再生モードでは、実効的に（実質的に）記録プロセスの逆のプロセスが行われ、ビットストリームが元のＭＰＥＧ形フォーマットおよび時間関係を有する形式に復元される。
消費者向けディジタル記録装置の実質的コスト（material cost）は、ＭＰＥＧ形処理または復号処理を省略することによって最小限に抑えることができる。そのようにすると、記録装置はＭＰＥＧ形パケット・ストリームを、何ら変更または付加することなく、記録し再生する。従って、消費者向けディジタル記録装置は、プログラム（番組）遅延用または時間シフト用のビットストリーム記録装置として機能する。
ＭＰＥＧの圧縮方法は、イントラ（フレーム内）符号化されたフレーム即ちＩフレーム、前方予測されたフレーム即ちＰフレーム、および両方向予測されたフレーム即ちＢフレームを使用する。これら３つのタイプのフレームは、グループ・オブ・ピクチャ（Groups Of Pictures、画面群）またはＧＯＰとして知られているグループ（群）の形式で発生する。ＧＯＰにおけるフレームの数は、ユーザによって規定（決定）することができるが、例えば１２個または１５個のフレームから成るものである。各ＧＯＰは、１つのＩフレームを含んでおり、そのＩフレームは送信するためにＰフレームと隣接し（境界を接し）、そのＰフレームの後にＢおよびＰフレームのシーケンスが続く。Ｉフレーム・データだけが他のどのフレームとも無関係に復号化され、Ｐフレーム・データは先行するＩフレームまたはＰフレームから予測される。両方向予測フレーム即ちＢフレームは、前後（周囲）のＩまたはＰフレームからの予測を必要とする。
アナログ形式の消費者向けＶＣＲ（ビデオ・カセット・レコーダ）においては、各記録トラックが典型的には１つのフィールドを含んでおり、その隣接するトラックは類似しているが、時間的にオフセットされた（ずれた）画像を含んでいるので、例えば前（順）方向または逆方向シャトル（shuttle、往復）、高速（ファースト）モーションまたは低速（スロー）モーションの画像（ピクチャ）ような種々のトリック再生機能が容易に（直ぐに）利用できる。記録速度以外の各速度で再生すると、その結果、１つまたは複数の再生ヘッドが、複数トラックを横切って、認識可能なピクチャ・セグメント（画面断片）を復元する。しかし、ＭＰＥＧ形式の信号が記録されるとき、各ＧＯＰのＩ、ＰおよびＢフレームが互いに隣接する複数のトラックを専有する。再生速度または通常（正常）速度で再生するときには、後続のＰおよびＢフレームの再構成を可能とするためには、Ｉフレーム・データを最初に再生しなければならない。ＭＰＥＧ形式の記録が通常速度とは異なる速度で再生されるときには、再生ヘッドは複数のトラックからの各セクション（部分）または各セグメントを変換（トランスデュース）する。しかし、その再生されたセグメントに含まれているＧＯＰの各部分は、アナログ記録条件の場合とは違って、連続する画像からの離散的レコードの各セクションを表すものではない。その代わりに、その変換されたセグメントは、ＧＯＰの予測ＰおよびＢフレームから主として得られるデータを含んでいる。明らかに、トリック（trick）再生動作中に再生されるＩフレーム・データの量はトリック再生速度が増大するに従って累進的に減少するので、Ｉフレーム・データの各再生部分（断片）からＰおよびＢフレームを復号できる可能性は僅かしかない。さらに、再生されたＩフレーム・データが復号される場合には、それはＭＰＥＧ標準が要求するシンタックス（構文）に従わなければならない。従って、消費者向けディジタル記録装置は、冗長な記録を行うようにＩフレーム・データを再分配しまたはトリック再生データを生成するようにＭＰＥＧストリームを処理することがなく、このような消費者向けディジタル記録装置においては通常再生速度以外の速度で再生を行うことはできない。
発明の概要
本発明による記録および再生装置は、媒体（メディア）からのディジタル信号を再生する変換手段（トランスデュース手段）を具えている。制御手段が、その装置の再生モードを制御する。復号手段が、変換手段に結合されていて、ディジタル信号を復号してその信号から特定のピクチャ（画面）タイプを示す信号を導出する。再生モードには、通常再生速度で再生する第１の再生期間と、再生速度より高い（速い）速度で再生する第２の再生期間がある。第１と第２の再生期間は互いに交番し、第１の再生期間は特定のピクチャ・タイプを示す信号に応答して開始される。
発明の別の実施形態において、記録および再生装置は、入力が、記録を行うために、ＭＰＥＧビットストリーム信号の信号源に結合される。第１の変換手段は、ＭＰＥＧビットストリームを表すディジタル信号を記録し再生する。制御手段は、ＭＰＥＧビットストリーム信号に結合されて、ＭＰＥＧビットストリームにおけるイントラ符号化フレームの発生を示す指示信号を発生する。第２の変換手段が、サーボ基準信号を記録し再生する。発生手段が、指示信号に応答して、サーボ基準信号と共に記録するための識別信号を発生する。
さらに発明の別の実施形態において、記録および再生装置は、次の各ステップからなるトリック再生の再生モードを有する。
ａ）記録媒体からのＩフレーム再生のための再生モードを開始するステップ、
ｂ）高速再生モードを開始して記録媒体を通過（pass）するステップ、
ｃ）媒体からのその後のＩフレームを再生するために再生モードを再開するステップ、
ｄ）高速再生モードの所定のシーケンスに応答して再生モードと高速再生モードの間の遷移（切換え）を制御するステップ。
発明の別の実施形態において、記録および再生装置は、次の各ステップからなるトリック再生の再生モードを有する。
ａ）再生モードを開始するステップ、
ｂ）Ｉフレーム間で発生するコントロール・トラック・パルスの平均の数を求めるステップ、
ｃ）トリック再生モードを選択するステップ、
ｄ）コントロール・トラック・パルスを計数（カウント）して平均値を求めるステップ、
ｅ）平均の数との等号の成立について計数値をテストするステップ、
ｆ）計数値との等号が成立したときに再生モードを開始するステップ。
【図面の簡単な説明】
図１は、発明の種々の実施形態を含んだ実施例のブロック図である。
図２Ａは、発明の種々の実施形態を採用した、媒体に記録されたトラックを示している。
図２Ｂ〜２Ｄは、発明の種々の実施形態を含んだ、媒体に記録されたコントロール・トラック・パルスを示している。
図３Ａ〜３Ｃは、補助情報によるパルス幅変調形態を含んだ種々のコントロール・トラック・パルス波形を示している。
図４Ａは、図２Ａの記録パターンを示している。
図４Ｂは、トリック再生による再生を容易にする本発明のテープ速度制御シーケンスを示している。
図４Ｃは、図４Ｂに示された制御シーケンスから得られるトリック再生フレーム・シーケンスを示している。
図５は、Ｉフレームを含んだトラックを先取り（予測）するための本発明のトリック再生方法を示す実施例のフローチャートである。
発明の詳細な説明
図１には、簡略化された消費者向けディジタル・オーディオ・ビデオ・システムが例示されている。受信機ＩＲＤ１００は受信アンテナ５０に結合されているように描かれているが、ＲＦ変調信号はケーブル分配網（ネットワーク）（図示せず）から供給されてもよい。変調されたパケット化された信号は、ＲＣＶ．ＰＫＴ．ＳＥＬ．５５として示された受信機パケット・セレクタ（選択器）ブロック内で、同調され、復調されて、ユーザによって決定されるプログラムの選択が行われる。受信機パケット・セレクタ５５からの出力は、デコーダ（ＤＥＣＯＤＥＲ）１１７によってＭＰＥＧ復号されるオーディオ・ビデオおよび制御データからなるトランスポート・パケットストリームを含んでいる。このＭＰＥＧデコーダ１１７はメモリ（ＭＥＭ）１１６と共に動作し、このメモリは最後（前回）のＩフレームを含んだ幾つかのフレームを記憶（格納）する。ＭＰＥＧデータストリームが失われたりまたはＭＰＥＧシンタックス（構文）が乱れた場合には、デコーダ１１７およびメモリ１１６が制御器１１５によって制御されて、メモリ１１６からの先行フレームを繰り返すことによって出力信号の発生を維持する。従って、例えば降雨フェージング（fade）、再生データの消失、欠落または歪み等によるデータストリームの消失または歪みが生じると、その最後のフレームが複製（コピー）されて、データ出力期間に固定（frozen）または静止（still）フレーム画像が生成される。デコーダ１１７はオーディオおよびビデオ信号を生成し、その信号が出力ブロックＯ／Ｐ１１８に結合され、その出力ブロックはアナログのオーディオおよびビデオ出力信号１０１および１０４を発生し、その出力信号がディスプレイ（表示装置）３００でモニタされるように結合される。
再生パケット源（ソース）２００は、例えばＤ−ＶＨＳまたはＤＶＣの記録フォーマットに従うものであり、図１に簡略化された実施例のブロック図の形式で示されている。前述したように、コストを考慮すると、ディジタル記録装置２００にはＭＰＥＧ形符号化および復号の機能を含ませることができない。よって、ディジタル記録装置２００は、ビットストリーム記録装置／再生装置として機能して、時間シフト機能またはプログラム（番組）遅延機能を実現する。ＭＰＥＧ復号機能の省略と非標準速度再生機能を装備するのに必要な複雑さの度合いとを考慮すると、再生速度以外の速度での画像再生は困難である。要するに、受信機ＩＲＤ１００は、ＭＰＥＧコンパチブル・パケットストリームを、記録装置２００によって記録が行われるように、ディジタルＡ／Ｖバス１１２を介して結合する。同様に、再生パケットストリームは、ＭＰＥＧ復号およびオーディオ／ビデオ生成のためにバス１１２を介して受信機ＩＲＤ１００に結合される。
図１に示された再生記録装置２００は、受信機（ＩＲＤ）１００から双方向データバス１１２を介して、復調されたトランスポート・パケットを受け取る。このトランスポート・パケットストリームは、バス伝送用にフォーマット化され、例えばスーパーパケット・ヘッダを有するスーパーパケットとしてフォーマット化されて、インタフェース・ポート１１０を介してデータバス１１２に結合される。フォーマット化されたトランスポート・パケットは、記録装置２００において、レコード（記録）ビットストリーム２１１を取り出すインタフェース・ポート２１０によって受け取られる。両インタフェース・ポートは、データバス１１２に含まれている別個の導体上で搬送される制御データストリームによって制御される。制御信号は、制御スイッチ（図示せず）の付勢によるまたはユーザが発生させた遠隔制御命令（コマンド）によるユーザ入力から導出することができる。
レコード・ビットストリーム２１１は記録ブロック（ＤＩＧ．ＲＥＣ．）２１５によって処理されるように結合される。ディジタル記録ブロック２１５はバッファメモリを含んでおり、そのバッファメモリを用いて、トランスポート・パケットの間欠的（不連続、断続的）供給を滑らかに（スムーズに）して、記録するのにより適した信号を発生するようにする。バッファ（緩衝）されたデータストリームがそのバッファメモリから読み出され、誤り検出／訂正データ・ワードと共に符号化される同期ブロックが生成される。この同期ブロック・フォーマット化されたデータストリームは、前述のような形態で記録するために変調され、記録ブロックＤＩＧ．ＲＥＣ．２１５からセレクタ・スイッチＡ４を介して結合される。セレクタ・スイッチＡ４およびＡ５は、選択されたＤ−ＶＣＲ動作モードに応じて制御される。例えば、スイッチＡ４およびＡ５はディジタル動作用の位置で示されており、ディジタル記録信号はスイッチ・コンタクト（接触、接続）ＤＲによって経路指定（route）され、ディジタル再生データはスイッチ・コンタクトＤＰによって経路指定される。レコード再生スイッチＡ６は、回転ヘッド構体２５０に配置されたトランスデューサ・ヘッド２５１にデータストリーム２５１ａを結合（供給）し、トランスデューサ・ヘッド２５１からのデータストリーム２５１ａを結合する（受け取る）。アナログ動作は、アナログ・レコードＡＲとアナログ再生ＡＰで示されたスイッチＡ４とＡ５の交替する（alternate）別の位置によって容易に実現される。記録ブロック（ＤＩＧ．ＲＥＣ．）２１５からの同期ブロック・フォーマット化されたデータは、回転ヘッド構体２５０に結合されて、磁気テープ２４９上のヘッド２５１によって記録される。
再生動作中、同期ブロック・フォーマット化されたデータは、構体２５０に配置されたトランスデュース（変換）ヘッド２５１によって磁気テープ２４９から再生される。復元された信号はディジタル再生ブロック（ＤＩＧ．ＲＥＰ．）２２０によって復調されて、任意の記録チャンネル変調状態が解除（復調）される。次いで、再生信号は、記録前に挿入されたデータ・ワードを用いてエラー検出および訂正の処理を受ける。エラー訂正処理に続いて、同期ブロック・フォーマットが解除されて、トランスポート・パケットストリームが、記録のために記録装置に結合されたときのパケット・フォーマットおよびタイミングと実質的に同じパケット・フォーマットおよびタイミングを有する形式で復元される。ブロック（ＤＩＧ．ＲＥＰ．）２２０からのトランスポート・パケットストリームがインタフェース・ポート２１０に結合され、インタフェース・ポート２１０は、記録装置再生モードに応答して、パケット・ストリームを、デコーダ１１７によってＭＰＥＧ復号するために双方向データバス１１２に結合する。
再生記録装置２００は、破線のボックス（枠）２０１内に表されているサーボ制御システムを含んでいる。アナログ動作中、同期信号ＡＳは、アナログ・レコード・プロセッサ・ブロック２４０において、記録されるアナログ信号から分離されて、同期発生器２３５を同期させるように結合される。同期化は、サーボ・ブロック２３０がキャプスタン・モータ２５５および回転ヘッド・モータ２４６の回転をアナログ・ビデオ信号に同期するように制御することを保証するのに必要である。要するに、キャプスタンはアナログ信号に同期（ロック）した一定速度でテープを引っ張らなければならず、回転ヘッドはアナログ信号を媒体（メディア）の所定位置に書き込まなければならない。しかし、アナログ信号の場合とは違って、ＭＰＥＧパケットストリームからは、記録装置２００のサーボ・システム制御に必要な同期信号ＡＳを容易に（直ぐに）供給することができない。従って、ディジタル動作の間、サーボ・システム２０１は、水晶発振器Ｘを基準とする同期発生器２３５によって生成された同期信号を使用する。従って、同期発生器２３５は、ヘッド構体２５０が毎秒３０回転の回転速度にロックされかつ同期され、かつテープがアナログ動作中と実質的に同じ速度で移送されることを保証する安定な制御信号を供給する。
記録ブロック２１５のバッファメモリは、トランスポート・パケットの間欠的供給を滑らかにすることに加えて、出力信号２１６がテープ２４９上の所定の位置に記録されることを可能にする。例えば、バッファメモリからはヘッダ構体２５０の回転に同期して読み出しが行われる。同様に、このバッファメモリからのフォーマット化された各ビデオデータ同期ブロックは、各記録トラックにおける特定の位置を有するように読み出される。ブロック２１５のバッファメモリの同期は、制御器２０５によって生成された制御信号ＣＴＲＬ．１によって与えられる。
アナログ記録において知られているように、記録ヘッド構体２４６、２５０およびキャプスタン・モータ構体２５３、２５５は、互いに同期しかつアナログ同期信号にも同期して回転するようにサーボ制御される。ディジタル記録中、ヘッドおよびキャプスタン・モータは、水晶制御された同期発生器２３５を基準として使用する。キャプスタンとビデオ・ヘッド・ドラムの間の再生同期を確保するために、コントロール・トラックが、実施例の図２Ａに示されたテープ下端縁に沿って記録される。コントロール・トラック・パルスは、例えば、ヘッド・ドラムから取り出され、その結果、繰り返しレート（繰り返し周波数）３０Ｈｚを有する。従って、各ヘッド・ドラム回転毎に、１つのコントロール・トラック・パルスが、例えばアジマス角（azimuth angle）φ１を有する１つのトラックをマークする（印をつける、示す）。ヘッド・ドラムは互いに１８０°だけ隔てられた２つのヘッドを使用し、公称（nominally）毎秒６０本のトラックが記録される。記録されたコントロール・トラック信号は、図２Ｂに示されており、交互の（交番する）トラックの開始をマークするコントロール・トラック・パルスを示す。１２フレーム構成のＧＯＰ（グループ・オブ・ピクチャ）が図２Ａに示されているが、図を簡明にするために縦方向（longitudinal）のオーディオ・トラックと横方向（transverse）のトラック角は示されていない。
通常再生速度以外の速度での再生は、通常再生速度動作と高速再生速度動作の間で記録装置制御モードを交番させる（切換える）記憶された（ストアード）自動再生制御シーケンスを用いることによって、有利な形態で容易に行うことができる。高速再生動作中、キャプスタン・ピンチローラ２５４がキャプスタン２５３とかみ合った状態を維持し、回転速度がサーボ制御の下で増大して維持される。例えば、図２Ａにおいて、１２フレームＧＯＰ（グループ・オブ・ピクチャ）が平均２４トラック毎に繰り返すように示され、最初の２つのトラックがＩフレーム・データを有するように示されている。通常再生速度動作が図２Ａのトラック・パターンにおける任意の位置から開始された場合でも、Ｉフレーム・データは、２４本のトラック以内または１２個のコントロール・トラック（ＣＴ）パルス以内に復元されなければならない。このようにして、上述の自動制御シーケンスにおいて、通常再生速度動作は１２個のＣＴパルスの期間（時間）に対して付勢され、また、高速再生、例えば４倍速は、約２５６個のコントロール・トラック・パルスの期間に対して選択される。従って、この実施例の自動トリック再生シーケンスは記録トラックを約２秒毎にサンプルし、それは３０Ｈｚドラム・レート（速度、周波数）で約８．５秒分のテープまたはプログラム（番組）経過時間に相当し、または２５Ｈｚ速度では約１０秒分に相当する。従って、前方向サーチ・トリック再生モードは、公称上８〜１０秒分のプログラム経過時間の間隔で隔てられた一連の複数の静止（スチル）Ｉフレーム画像からなるように規定される。高速再生期間の間、再生されたＭＰＥＧシンタックスは乱され、データストリームが消失するが、ＩＲＤデコーダ１１７およびメモリ１１６は、メモリからの最後の先行フレームを繰り返すことによって出力信号を有利な形態で維持する。逆方向サーチ・トリック再生モードも同様に行われ、その場合、キャプスタンの回転は、実施例の２５６個のコントロール・トラック・パルスの期間に対して逆転される。しかし、このような逆方向テープ走行には、テープに損傷を与えるたるみまたは過大な緊張（引っ張り）を防止するためにテープ・リールの引き締め（縮め）と供給を行う制御動作が必要である。
別の有利な実施形態において、制御器２０５は、バス・インタフェース２１０から制御線２０２ａを介して制御データ信号２０２を受け取る。制御データ信号２０２は、ＩＲＤ１００内で生成されるものであり、記録するために結合されたトランスポート・パケットストリームにおけるＩフレームの発生をマークする信号コンポーネント（成分）ＩＦを含んでいる。イントラ（Ｉ）フレーム・マーカ信号ＩＦは、トランスポート・パケット・バス通信のために使用されるスーパーパケットに付加されたヘッダによって、またはバス１１２を介して結合される別個の制御信号として、記録装置２００に伝送される。スーパーパケット・ヘッダはディジタル記録ブロック２１５によって読み取られ、ＩＦマーカが抽出されて制御線２０５ａを介して制御器２０５に送出される。その代替構成として、ディジタル記録ブロック２１５はビットストリーム２１１を濾波して、ＧＯＰおよびシーケンス・ヘッダからピクチャ（画面）ヘッダ情報を抽出することによってイントラ（Ｉ）フレームの発生を判断してもよい。制御器２０５は、ヘッドおよびキャプスタン位相情報と共にＩフレーム・マーカ信号ＩＦを用いて制御信号ＣＴＲＬ１を生成する。制御信号ＣＴＲＬ１は、ブロック２１５のバッファメモリからの読み出しを制御して、Ｉフレーム・データ記録が同じ記録アジマスのトラックで開始することを保証する。従って、本発明におけるＩフレーム・マーカＩＦの使用によって、各Ｉフレーム記録が同じ記録アジマス角のトラックで開始されることが保証される。
実施例の図２Ａにおいて、１２フレームのＧＯＰサイズを有するＭＰＥＧを表す信号が記録された磁気テープ２４９が示されている。イントラ符号化データは、図２Ａにおいて水平の陰影（縞）が付けられており、アジマス位相角φ１を有するトラック１で記録が開始され、アジマス角φ２を有するトラック２へと続くように示されている。前方予測即ちＰフレーム・データは、アジマス角φ１を有するトラック３に記録され、斜線の陰影を付けて示されている。この実施例の１２フレームＧＯＰの中の残りの９フレームは、後続の陰影のないトラック領域に書き込まれる。記録ヘッド・ドラムは１８００ＲＰＭの回転速度で回転し、直径方向の対向する２つのヘッドを有するので、公称上毎秒６０トラックが書き込まれる。従って、１２フレームのＧＯＰサイズが２４トラックを占めるように示されている。しかし、各圧縮フレームに存在するデータの量は動きおよびシーン（場面）の複雑さに応じて変化するので、個々のフレームの実際の持続時間は変化する。従って、ＧＯＰの持続時間は変化し、従って未充填（未フィル）の記録トラックの容量には０（ゼロ）が充填され（フィルされ、詰込まれ）る。実施例の図２Ａの単純な記録トラック・パターンにおいて、Ｉフレーム・データはトラック１および２によって与えられたデータ容量を完全に充填する場合もしない場合もあり、従って、Ｐフレーム・データ記録はトラック２で開始してトラック３へと続くこともある。ＧＯＰの残りのフレームについても同様に連続して書き込まれ、隣接する記録トラック間に分配される。さらに、ＧＯＰのサイズはユーザによって決定され、Ｉフレームで開始する新しいＧＯＰにおいて意図的にサイズを変更することもできる。従って、Ｉフレーム・マーカＩＦを有利な形態で結合させる（組み込む）ことによって、各Ｉフレーム記録が常に同じアジマス位相で開始されることが保証される。例えば、図２Ａにおいて、Ｉフレーム・トラックは、アジマス角φ１を有し、図２Ｂにおいて示されているようなコントロール・トラック・パルスで示される。制御トラック・パルスは、例えば、ヘッド・ドラムから取り出され、繰り返し周波数３０Ｈｚを有し、各ヘッド・ドラム回転に対して各１対のトラックうちの１つのトラック、例えばφ１のトラックをマークする。
発明の別の実施形態において、トリック再生による再生は、イントラ符号化フレーム即ちＩフレーム・データを含んだトラックだけの制御された再生によって有利な形態で容易に行われる。Ｉフレーム・マーカＩＦが記録トラック選択、即ちアジマス角φ１またはφ２を決定し、コントロール・トラック・パルスが交互のトラックをマークするので、Ｉフレーム・データを含んだトラックは、再生するのに有利な形態で識別される。Ｉフレーム・データの再生識別を容易にするために、特定のコントロール・トラック・パルスは、記録期間の間に、前述したような記録（レコード）ビットストリーム２１１におけるＩフレーム・データの発生から導出された信号Ａにより有利な形態で変調される。従って、信号Ａはコントロール・トラック信号を変調して、Ｉフレームを含んだトラックをマークする。図２Ｃは図２Ｂに示されたコントロール・トラック信号の拡大された部分を示している。実施例の図２Ｃに示された部分は、例えばトラック２５に記録されたＩフレームを中心として示されており、再生されたコントロール・トラック・パルスのシーケンスを示している。全体的に黒い部分で示されたパルスＡは、Ｉフレーム・トラック２５をマークし、Ｉフレーム・データ・トラックを具体的に示すために、記録期間の間に有利な形態でパルス幅変調されたものである。
ＶＨＳフォーマットにおいて、コントロール・トラック・パルス幅変調が知られており、それが使用されて、ビデオ・インデックス・サーチ信号（ＶＩＳＳ、Video Index Search Signal）またはビデオ・アドレス・サーチ信号（ＶＡＳＳ、Vidoe Address Search Signal）のようなシステムでサーチが容易に行われる。しかし、要約すると、コントロール・トラック・パルス幅変調は次のように動作する。再生中、図３Ａにおいて、矢印の先頭部によって示されたコントロール・トラック信号の立上がり端縁が再生速度制御のために使用される。しかし、コントロール・トラック・パルスの時間的に重要（クリティカル）でない後端縁は制御可能に位相シフトされまたは再配置されてもよい。記録コントロール・トラック信号の後縁の位相または位置を、ディジタルの真偽または１または０値のデータ・ビットを表す相異なる２つの位相または位置の間で変化させることによって、データを符号化することができる。
図３Ａは、公称上５０％〜６０％の範囲のパルス幅デューティ・サイクルを有する標準コントロール・トラック・パルス信号を示している。図３Ｂは、論理“１”および論理“０”の値を示す位相変調されたコントロール・トラック・パルスを示している。論理“１”は、例えば後縁の位相を進ませ、以てコントロール・パルスの正部分をパルス繰り返し周期の約２７．５％の持続時間に短縮することにより符号化される。論理“０”の値は、公称上５０％のデューティ・サイクルと比較すると、例えば６０％の持続時間のパルスを生成するように後縁を遅延させる。図３Ｃは、記録用に成形された位相変調されたコントロール・トラック・パルスを示している。単純なタイミングおよびゲート回路によって、基準持続時間（例、５０％）より長いまたは短いデューティ・サイクルを有するパルスの間の区別ができる。
追加的なコントロール・トラック識別が、例えば、前方向予測フレーム、Ｐフレームまたは両方向符号化フレーム、Ｂフレームを含んだトラックを示すように有利な形態で生成されるようにすることができる。このような追加的なデータは、コントロール・トラック・パルスの２８％〜６０％の範囲のデューティ・サイクルで追加的にパルス符号化されることによりＰおよび／またはＢフレームを示すようにすることができる。このようなＰおよび／またはＢフレーム・インジケータは、検出を簡単にするために、先行するＩフレーム符号化コントロール・トラック・パルスの発生の後に続いて、その先行コントロール・トラック・パルスの発生によりイネーブルされるようにすればよい。例えば、図２Ｄは、図２Ａに示されたＩフレーム・トラック２５を中心としたコントロール・トラック信号の拡大された部分を示している。図２Ｄには、再生されたコントロール・トラック・パルスのシーケンスが示されており、パルスＡが２５をマークし、水平の陰影で示されたパルスＢが有利な形態で例えばトラック２７等のＰフレーム・データ・トラックを示すように幅変調される。
コントロール・トラック・パルス変調を有利な形態で使用することによって、再生速度および再生速度以外の速度で再生している期間に記録トラックを識別することが可能になる。従って、特定のトラック、例えばイントラ符号化データまたはイントラ符号化および前方予測データが識別されまたは再生されるようにすることができる。トリック再生においては復号不可能と識別されたトラック、従って不必要なものとして識別されたトラックは、増大されたテープ速度で通過（移送）される。記録されたトラックの内容を識別することによって、本発明のトリック再生の再生の方法が容易に行われ、その場合、復号可能なデータ、例えばイントラ符号化データまたはイントラ符号化および前方予測データが通常速度で再生され、イントラ符号化および前方予測データが通常速度で再生され、不必要なデータ・トラックが増大されたテープ速度で通過（移送）される。図２Ａの媒体および記録信号が図４Ａに示されている。図４Ｂは、種々のタイミングで発生する相異なるテープ速度Ｓ、Ｐ、Ａ、Ｆ、およびＤの各領域を有する実施例の自動トリック再生テープ速度の輪郭（プロファイル：profile）を示している。例えば、領域Ｓは再生前のテープの停止状態に対応する。領域Ｐはイントラ符号化データの持続時間に維持される通常再生速度動作を表しており、この例では、そのイントラ符号化データは２つの記録トラック１および２に含まれていると仮定している。変調されたＡパルスがＩフレームの開始をマークするので、実際の記録持続時間はマークされず、従って領域Ｐで示された再生モードは２つまたはそれより多いコントロール・トラック計数値に対して維持される。領域Ｐを規定するコントロール・トラック計数値が発生した後、領域Ａの期間、例えば４倍のより高い速度で移送されるようにテープが加速される。図４Ｂにおける実施例の自動トリック再生テープ速度の輪郭は、公称５トラック分または約２個のＣＴパルス計数値分の持続時間の高速再生状態、領域Ｆを示している。キャプスタンの慣性とテープおよびリールの質量の機械的（力学的）制約があるので、そのような短い持続時間を実現するのは困難かもしれない。しかし、図４Ｂに示された自動化された速度の輪郭は特定の記録装置機構に適合するように変更してもよい。図４Ｂに示された自動トリック再生シーケンスから、図４Ｃに水平方向、垂直方向、および時間方向に示された復号フレームのシーケンスが得られる。明らかに、繰り返されるフレームの数は、新たに再生された復号可能なデータストリームの利用可能性に応じて決定される。図４ＡのＩフレームだけが再生される場合には、１２フレームＧＯＰを仮定すると、プログラムは通常速度の１２倍で見ることができる。再生フレームがおよそＧＯＰの持続時間だけ保持されまたは繰り返される場合には、プログラム供給が実際にあるいは知覚されるように高速化されることはなく、記録された動画像は実効的に一連の静止画（スチル）として表される。従って、図４Ａの例において、プログラム供給速度は２倍より僅かに高い速度に増大する。Ｉフレーム・マーカ・パルスＡの再生による発生を用いて、後続の非変調コントロール・トラック・パルスの計数が開始され、次の自動再生シ��ケンスの発生が決定されまたは予測される。１つのＧＯＰを越えるような高速再生持続時間は、Ａパルスを計数し、次いで次のＩフレームの発生前に通常再生速度となるように減速することによって容易に形成される。
前述したように、コントロール・トラック信号を変調してパルスＡが生成され、このパルスＡはさらに記録装置制御論理２０５により有利な形態で使用されて、再生されたＧＯＰの平均の長さが本発明により決定される（求められる）。例えば、通常再生状態の間、制御論理２０５は、コントロール・トラック・プロセッサ２０８から、再生されたＩフレームを示す信号を受け取る。このＩフレーム・マーカを用いて、Ｉフレーム・マーカ間で発生するコントロール・トラック・パルスの数を計数することによって、複数の再生されたグループ・オブ・ピクチャ即ちＧＯＰの長さまたは持続時間を適応的に測定（計測）する。この再生ＧＯＰの長さが平均され、例えば減算によって処理されて、次のＩフレームの先取り（予測、anticipate）が行われ、図４Ｂの領域Ｄで示された媒体減速が形成される。
図５は、１つのＩフレームを含んだトラックの再生による発生を動的にかつ適応的に先取り（予測）する本発明の方法を示す実施例のフローチャートである。図５において、ステップ１００で再生モードが選択され、上述のように記録信号は再生されるが、復号はＩフレームが再生されるまで行われない。ステップ２００において、再生Ｉフレームまたはその代わりにコントロール・トラックＩフレーム・マーカ・パルスＡが測定（検出）されて、Ｉフレーム間またはマーカ・パルス間の平均間隔（期間）が決定される。この平均間隔値は、各ＧＯＰ（グループ・オブ・ピクチャ）の持続時間を表しており、短縮されたまたは可変のＧＯＰの効果（影響）を低減しまたは除去するために平均される。ステップ２００において、Ｉフレームまたはマーカ・パルスは、再生されたコントロール・トラック・パルスの総和または計数値をイネーブルしまたはゲートし、従って各ＧＯＰの持続時間の直接的線形測定が行われる。コントロール・トラック・パルス計数値が平均されて、値Ｎが決定される。このようにして、高速再生モードまたはシャトル・モードの期間の間に、コントロール・トラック・パルスが復元されるので、Ｉフレームを含んだ次のトラックがＣＴパルスを計数することによって位置決めされてアクセスされる。しかし、再生装置および記録媒体は慣性を有するので、平均値Ｎが、ステップ３００において、例えば減速値Ｄの減算によって処理され、より少ないＣＴパルス計数値が生成され、その値によって次のＩフレーム・トラックの発生が先取り（予測）されてキャプスタン・サーボ減速およびトラック捕捉が可能になる。相異なる減速値が高速再生またはシャトル速度との関係で用いられる。このようにして、ステップ３００において、再生装置は再生モードとなって、次のＩフレームに対する平均ＣＴパルス計数値が決定される。ステップ４００において、トリック再生モードの選択を判断するためのテストが行われる。ステップ４００においてＮＯ（否定）の場合には、トリック再生が選択されるまで待機ループが形成され、トリック再生が選択さるとＹＥＳ（肯定）が生じる。ステップ４００においてＹＥＳ（肯定）の場合には、ステップ５００のカウンタに値（Ｎ−Ｄ）が設定され、イネーブルされまたはロードされる。このカウンタはステップ６００において再生コントロール・トラック・パルスで減分変化（decrement）され、ステップ７００において０（ゼロ）値かどうかがテストされる。非０（ゼロ）の計数値に対しては、ステップ４００にループバックするステップ７００におけるＮＯ（否定）によって、トリック再生モードが維持される。しかし、ステップ７００がＹＥＳ（肯定）をテストしたときには、記録Ｉフレームを含んだ次のトラックが先取り（予測）されて、ステップ８００において再生モードが開始される。ステップ４００〜ステップ８００は、ステップ５００においてカウンタを設定しまたはロードする再生Ｉフレームまたはコントロール・トラック・マーカ・パルスＡの発生により繰り返される。トリック再生モードは、ステップ４００が、例えばユーザの命令に応答してＮＯ（否定）をテストしたときに終了する。
図５の実施例のフローチャートに示されている方法では、Ｉフレームの記録された発生を示すために、記録期間の間にマークされたコントロール・トラック・パルスが使用される。しかし、本発明の他の実施形態において、図５の実施例の方法は、コントロール・トラックＩフレーム・マーカ・パルスなしで記録する場合にも用いることができる。コントロール・トラック・マーカ・パルスＡのないテープは、次に示すようなステップに従って再生することができる。この場合でも、ステップ２００におけるＧＯＰの平均サイズの決定は、コントロール・トラック・パルス計数値に関して、例えばＩＲＤ１００により復号された再生ＭＰＥＧデータストリームから導出される例えば信号ＩＦＲのようなＩフレーム・マーカまたはパルスを用いて容易に行われる。再生Ｉフレーム信号ＩＦＲは、前述のように制御器２０５に結合されて、処理され、ＧＯＰサイズの平均値が得られる。トリック再生動作が選択されたとき、自動トリック再生制御シーケンスがメモリから読み出され、この制御シーケンスはステップ５００でカウンタを設定するＩフレーム信号ＩＦＲの発生によって開始される。通常速度の再生の間の期間（時間）は、前述したような処理された平均ＧＯＰ値によって決定される。従って、Ｉフレーム符号化コントロール・トラックのない記録でも、トリック再生動作モードで再生することができる。
【図１】
0004466978.tif 000002
【図２】
0004466978.tif 000003
【図３】
0004466978.tif 000004
【図４】
0004466978.tif 000005
【図５】
0004466978.tif 000006